【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
移行元の文書管理アプリケーションから、前記移行元の文書管理アプリケーションとは階層の上限が異なる移行先の文書管理アプリケーションに対して、階層構造のフォルダにて管理されているデータの移行を行うデータ移行システムであって、
前記移行元の文書管理アプリケーションにおける移行対象のフォルダに設定されているアクセス権の継承設定が親フォルダのアクセス権を継承する継承設定である場合に、前記移行対象フォルダの継承設定を、アクセス権を該フォルダで独自に設定する継承設定に設定を変更するとともに、該親フォルダのアクセス権と同様のアクセス権を前記移行対象フォルダに設定する設定手段と、
前記移行対象のフォルダ、該フォルダが包含するデータ及び、該フォルダのアクセス権情報をエクスポートするエクスポート手段と、
前記エクスポート手段によりエクスポートされた、前記移行対象フォルダの階層が、前記移行先の文書管理アプリケーションにおける階層の上限を超えている場合に、上限を超えた階層下のフォルダ及び、該フォルダに包含されるデータを前記移行先の文書管理アプリケーションにおける上限よりも浅い階層にインポートするインポート手段と、
前記アクセス権情報に基づいて解析された、前記インポート手段によりインポートされたフォルダのアクセス権と、該フォルダの親フォルダのアクセス権とが等しい場合に、前記インポート手段によりインポートされたフォルダのアクセス権の継承設定を、親フォルダのアクセス権を継承する継承設定に変更する変更手段と
を有することを特徴とするデータ移行システム。
【請求項２】
前記変更手段は、前記インポートされたフォルダが、前記移行元の文書管理アプリケーションにおいて、親フォルダとアクセス権が等しく、かつアクセス権をフォルダで独自に設定する継承設定が設定されていたフォルダである場合には、フォルダのアクセス権と、該フォルダの親フォルダのアクセス権とが等しい場合であっても該フォルダの継承設定を変更しないことを特徴とする請求項１に記載のデータ移行システム。
【請求項３】
移行元の第１の文書管理アプリケーションで管理していた複数のフォルダと文書とに関するデータを、移行先の第２の文書管理アプリケーションへ移行するデータ移行システムであって、
前記第１の文書管理アプリケーションで管理していた複数のフォルダのうち、アクセス権の継承設定が親フォルダのアクセス権を継承する第１継承設定であるフォルダに対して、前記アクセス権の継承設定を、該フォルダで独自にアクセス権を設定する第２継承設定に変更するとともに、該親フォルダのアクセス権と同じアクセス権を設定する設定手段と、
前記設定手段による処理が実行された後、前記第１の文書管理アプリケーションで管理していた複数のフォルダを順に処理対象とし、前記第１の文書管理アプリケーションで管理していたときの当該処理対象フォルダの階層が、前記第２の文書管理アプリケーションにおける階層数の上限を超えるか否か判定する判定手段と、
前記判定手段で前記上限以内であると判定した場合は、当該処理対象フォルダを、前記第１の文書管理アプリケーションで管理していたときの階層に対応する前記第２の文書管理アプリケーションの階層へ格納する一方、前記判定手段で前記上限を超えていると判定した場合は、当該処理対象フォルダを、前記第２の文書管理アプリケーションにおける浅い階層へ格納するインポート手段と
を有することを特徴とするデータ移行システム。
【請求項４】
前記インポート手段により格納された前記処理対象フォルダのアクセス権と、前記インポート手段により格納された後の当該処理対象フォルダの親フォルダのアクセス権とが等しい場合に、前記インポート手段により格納された前記処理対象フォルダのアクセス権の継承設定を、親フォルダのアクセス権を継承する前記第１継承設定に変更する変更手段を、更に有することを特徴とする請求項３に記載のデータ移行システム。
【請求項５】
前記変更手段は、前記第１の文書管理アプリケーションにおける前記処理対象フォルダのアクセス権の継承設定が、該フォルダで独自にアクセス権を設定する前記第２継承設定であった場合は、前記インポート手段により格納された前記処理対象フォルダのアクセス権の継承設定を前記第１継承設定に変更しないことを特徴とする請求項４に記載のデータ移行システム。
【請求項６】
前記インポート手段は、更に、前記判定手段で前記上限を超えていると判定した場合、当該処理対象フォルダと、前記第１の文書管理アプリケーションで管理していたときの親フォルダに相当するフォルダとをリンクさせるためのリンク情報を保存することを特徴とする請求項３に記載のデータ移行システム。
【請求項７】
移行元の文書管理アプリケーションから、前記移行元の文書管理アプリケーションとは階層の上限が異なる移行先の文書管理アプリケーションに対して、階層構造のフォルダにて管理されているデータの移行を行うデータ移行方法であって、
前記移行元の文書管理アプリケーションにおける移行対象のフォルダに設定されているアクセス権の継承設定が親フォルダのアクセス権を継承する継承設定である場合に、前記移行対象フォルダの継承設定を、アクセス権を該フォルダで独自に設定する継承設定に設定を変更するとともに、該親フォルダのアクセス権と同様のアクセス権を前記移行対象フォルダに設定する設定工程と、
前記移行対象のフォルダ、該フォルダが包含するデータ及び、該フォルダのアクセス権情報をエクスポートするエクスポート工程と、
前記エクスポート工程においてエクスポートされた、前記移行対象フォルダの階層が、前記移行先の文書管理アプリケーションにおける階層の上限を超えている場合に、上限を超えた階層下のフォルダ及び、該フォルダに包含されるデータを前記移行先の文書管理アプリケーションにおける上限よりも浅い階層にインポートするインポート工程と、
前記アクセス権情報に基づいて解析された、前記インポート工程においてインポートされたフォルダのアクセス権と、該フォルダの親フォルダのアクセス権とが等しい場合に、前記インポート工程においてインポートされたフォルダのアクセス権の継承設定を、親フォルダのアクセス権を継承する継承設定に変更する変更工程と
を有することを特徴とするデータ移行方法。
【請求項８】
移行元の第１の文書管理アプリケーションで管理していた複数のフォルダと文書とに関するデータを、移行先の第２の文書管理アプリケーションへ移行するために、コンピュータにより実行されるデータ移行方法であって、
前記第１の文書管理アプリケーションで管理していた複数のフォルダのうち、アクセス権の継承設定が親フォルダのアクセス権を継承する第１継承設定であるフォルダに対して、前記アクセス権の継承設定を、該フォルダで独自にアクセス権を設定する第２継承設定に変更するとともに、該親フォルダのアクセス権と同じアクセス権を設定する設定ステップと、
前記設定ステップによる処理が実行された後、前記第１の文書管理アプリケーションで管理していた複数のフォルダを順に処理対象とし、前記第１の文書管理アプリケーションで管理していたときの当該処理対象フォルダの階層が、前記第２の文書管理アプリケーションにおける階層数の上限を超えるか否か判定する判定ステップと、
前記判定ステップで前記上限以内であると判定した場合は、当該処理対象フォルダを、前記第１の文書管理アプリケーションで管理していたときの階層に対応する前記第２の文書管理アプリケーションの階層へ格納する一方、前記判定ステップで前記上限を超えていると判定した場合は、当該処理対象フォルダを、前記第２の文書管理アプリケーションにおける浅い階層へ格納するインポートステップと
を有することを特徴とするデータ移行方法。
【請求項９】
移行元の文書管理アプリケーションから、前記移行元の文書管理アプリケーションとは階層の上限が異なる移行先の文書管理アプリケーションに対して、階層構造のフォルダにて管理されているデータの移行を行うためのコンピュータプログラムであって、前記コンピュータプログラムは、コンピュータを、
前記移行元の文書管理アプリケーションにおける移行対象のフォルダに設定されているアクセス権の継承設定が親フォルダのアクセス権を継承する継承設定である場合に、前記移行対象フォルダの継承設定を、アクセス権を該フォルダで独自に設定する継承設定に設定を変更するとともに、該親フォルダのアクセス権と同様のアクセス権を前記移行対象フォルダに設定する設定手段、
前記移行対象のフォルダ、該フォルダが包含するデータ及び、該フォルダのアクセス権情報をエクスポートするエクスポート手段、
前記エクスポート手段によりエクスポートされた、前記移行対象フォルダの階層が、前記移行先の文書管理アプリケーションにおける階層の上限を超えている場合に、上限を超えた階層下のフォルダ及び、該フォルダに包含されるデータを前記移行先の文書管理アプリケーションにおける上限よりも浅い階層にインポートするインポート手段、
前記アクセス権情報に基づいて解析された、前記インポート手段によりインポートされたフォルダのアクセス権と、該フォルダの親フォルダのアクセス権とが等しい場合に、前記インポート手段によりインポートされたフォルダのアクセス権の継承設定を、親フォルダのアクセス権を継承する継承設定に変更する変更手段、
として機能させるためのコンピュータプログラム。
【請求項１０】
前記変更手段は、前記インポートされたフォルダが、前記移行元の文書管理アプリケーションにおいて、親フォルダとアクセス権が等しく、かつアクセス権をフォルダで独自に設定する継承設定が設定されていたフォルダである場合には、フォルダのアクセス権と、該フォルダの親フォルダのアクセス権とが等しい場合であっても該フォルダの継承設定を変更しないことを特徴とする請求項９に記載のコンピュータプログラム。
【請求項１１】
移行元の第１の文書管理アプリケーションで管理していた複数のフォルダと文書とに関するデータを、移行先の第２の文書管理アプリケーションへ移行するためのコンピュータプログラムであって、前記コンピュータプログラムは、コンピュータを、
前記第１の文書管理アプリケーションで管理していた複数のフォルダのうち、アクセス権の継承設定が親フォルダのアクセス権を継承する第１継承設定であるフォルダに対して、前記アクセス権の継承設定を、該フォルダで独自にアクセス権を設定する第２継承設定に変更するとともに、該親フォルダのアクセス権と同じアクセス権を設定する設定手段、
前記設定手段による処理が実行された後、前記第１の文書管理アプリケーションで管理していた複数のフォルダを順に処理対象とし、前記第１の文書管理アプリケーションで管理していたときの当該処理対象フォルダの階層が、前記第２の文書管理アプリケーションにおける階層数の上限を超えるか否か判定する判定手段、
前記判定手段で前記上限以内であると判定した場合は、当該処理対象フォルダを、前記第１の文書管理アプリケーションで管理していたときの階層に対応する前記第２の文書管理アプリケーションの階層へ格納する一方、前記判定手段で前記上限を超えていると判定した場合は、当該処理対象フォルダを、前記第２の文書管理アプリケーションにおける浅い階層へ格納するインポート手段、
として機能させるためのコンピュータプログラム。
【請求項１２】
前記コンピュータプログラムは、前記コンピュータを、
前記インポート手段により格納された前記処理対象フォルダのアクセス権と、前記インポート手段により格納された後の当該処理対象フォルダの親フォルダのアクセス権とが等しい場合に、前記インポート手段により格納された前記処理対象フォルダのアクセス権の継承設定を、親フォルダのアクセス権を継承する前記第１継承設定に変更する変更手段、として更に機能させるための請求項１１に記載のコンピュータプログラム。
【請求項１３】
前記変更手段は、前記第１の文書管理アプリケーションにおける前記処理対象フォルダのアクセス権の継承設定が、該フォルダで独自にアクセス権を設定する前記第２継承設定であった場合は、前記インポート手段により格納された前記処理対象フォルダのアクセス権の継承設定を前記第１継承設定に変更しないことを特徴とする請求項１２に記載のコンピュータプログラム。
【請求項１４】
前記インポート手段は、更に、前記判定手段で前記上限を超えていると判定した場合、当該処理対象フォルダと、前記第１の文書管理アプリケーションで管理していたときの親フォルダに相当するフォルダとをリンクさせるためのリンク情報を保存することを特徴とする請求項１１に記載のコンピュータプログラム。
【請求項１５】
請求項８乃至１４のいずれか１項に記載のコンピュータプログラムを格納した、コンピュータ読み取り可能な記憶媒体。